(57)【要約】【課題】大型の人形玩具においても各構成部材を確実に連結させることができ、しかも、各構成部材の着脱を容易に行うことができる人形玩具の関節構造及び該関節構造を有する人形玩具を得る。【解決手段】人体の関節を挟んで一方側に位置する部位の形状を模してなる一方側外装部材と他方側に位置する部位の形状を模してなる中空状の他方側外装部材とからなり、該他方側外装部材の中空部に通された弾性部材によって該一方側外装部材を牽引してなる人形玩具の関節構造において、前記他方側外装部材の中空部に沿って移動できるように形成したストッパーを前記弾性部材に設けて、当該弾性部材を伸長させた状態で当該ストッパーを当該他方側外装部材に係合させることにより、当該ストッパーの当該他方側外装部材の中空部内への移動を抑止して当該弾性部材による前記一方側外装部材の牽引を遮断する。【選択図】  図１
2004321638.tif 000002
【特許請求の範囲】
【請求項１】
人体の関節を挟んで一方側に位置する部位の形状を模してなる一方側外装部材と他方側に位置する部位の形状を模してなる中空状の他方側外装部材とからなり、該他方側外装部材の中空部に通された弾性部材によって該一方側外装部材を牽引してなる人形玩具の関節構造において、前記他方側外装部材の中空部に沿って移動できるように形成されたストッパーが前記弾性部材に設けられており、当該弾性部材を伸長させた状態で当該ストッパーを当該他方側外装部材に係止させることにより、当該ストッパーの当該他方側外装部材の中空部内への移動が抑止されて当該弾性部材による前記一方側外装部材の牽引が遮断されることを特徴とする人形玩具の関節構造。
【請求項２】
他方側外装部材の中空部に沿った軸を回転軸としてストッパーを該他方側外装部材に対して回転させて該ストッパーを該他方側外装部材に係止させる請求項１記載の人形玩具の関節構造。
【請求項３】
人体の関節を挟んで一方側に位置する部位の形状を模してなる一方側外装部材と他方側に位置する部位の形状を模してなる中空状の他方側外装部材と該一方側外装部材と該他方側外装部材との間に介在させる中空状の関節部材とからなり、該他方側外装部材及び該関節部材の中空部に通された弾性部材によって該一方側外装部材を牽引してなる人形玩具の関節構造において、前記関節部材の中空部に沿って移動できるように形成されたストッパーが前記弾性部材に設けられており、当該弾性部材を伸長させた状態で当該ストッパーを当該関節部材に係止させることにより、当該ストッパーの当該関節部材の中空部内への移動が抑止されて当該弾性部材による前記一方側外装部材の牽引が遮断されることを特徴とする人形の関節構造。
【請求項４】
関節部材の中空部に沿った軸を回転軸としてストッパーを該関節部材に対して回転させて該ストッパーを該関節部材に係止させる請求項３記載の人形玩具の関節構造。
【請求項５】
前記一方側外装部材が人体の手を模してなるものであり、前記他方側外装部材が人体の前腕を模してなるものである請求項１乃至４のいずれかに記載の人形玩具の関節構造。
【請求項６】
前記一方側外装部材が人体の足を模してなるものであり、前記他方側外装部材が人体の下腿を模してなるものである請求項１乃至４のいずれかに記載の人形玩具の関節構造。
【請求項７】
前記一方側外装部材が人体の頭を模してなるものであり、前記他方側外装部材が人体の首を模してなるものである請求項１乃至４のいずれかに記載の人形玩具の関節構造。
【請求項８】
請求項１乃至７のいずれかに記載された関節構造を有する人形玩具。
【発明の詳細な説明】
【０００１】
【発明の属する技術分野】
本発明は、人形玩具の関節構造及び該関節構造を有する人形玩具に関するものである。
【０００２】
【従来の技術】
周知の通り、近年、ベースとなる市販の人形玩具を購入し、該人形玩具の各構成部材を別途市販されている異なる着色や成型が施された構成部材に交換したり、該人形玩具に装着させる衣装や装飾品を自作して、自己の好みに合ったオリジナルの人形玩具に改造（カスタム）することがホビーの一つとして定着している。
【０００３】
前記ベースとなる市販の人形玩具においては、容易に改造することができるように様々な工夫が凝らされており、その工夫の一つとして各構成部材を容易に着脱できる関節構造が採用されている。
【０００４】
例えば、後出特許文献１には、人体の手を形成してなると共に、手首に当たる位置から長手方向に段溝付きの円柱上嵌込軸が突設されている手部と、先端部に手部の嵌込軸を回動可能に挿着する空洞の軸受け部が設けられた前腕部とからなる人形玩具の関節構造が開示されている。また、後出特許文献２には、前腕部材の下部に磁石の下端が露出するように収容され、この磁石に手部材に固定された球体状の鉄などからなる磁着体が磁着するようになった人形玩具の関節構造が開示されている。
【０００５】
また、本発明者は、図８に示す関節構造を有する人形玩具を開発し、好評を得ている。かかる人形玩具の関節構造は、人体の手を模してなる手部材１００と人体の前腕を模してなる中空状の前腕部材１０１と該手部材１００と該前腕部材１０１との間に介在させる中空状の球形関節部材１０２とからなり、前腕部材１０１と関節部材１０２との中空部１０３，１０４に折り返した状態のゴム紐１０５を通し、ゴム紐１０５の折り返し部１０６を手部材１００に設けられたフック１０７に掛けて、ゴム紐１０５の収縮力により手部材１００を関節部材１０２へ牽引してなるものである。
【０００６】
【特許文献１】
特許第３３４１２１３号公報（第５頁）
【特許文献２】
特開２０００−１４０４４９号公報（第２頁）
【０００７】
【発明が解決しようとする課題】
ところが、前記特許文献１に開示された人形玩具の関節構造においては、手部の嵌込軸と前腕部の軸受け部との嵌め合わせのみによって固定されているため、手部に模型の拳銃や剣などの付属品を装着させた場合には、その重さによって手部が前腕部から抜け落ちてしまうことがあった。さらに、各構成部材毎の重量が重い大型の人形玩具においては、手部が自重によって前腕部から抜け落ちてしまうことがあった。
【０００８】
なお、前記特許文献２に開示された人形玩具の関節構造においても、手部材と前腕部材とが磁着のみによって固定されているため、特許文献１と同様の問題点がある。
【０００９】
一方、図８に示す人形玩具の関節構造においては、手部材のフックがゴム紐に掛けられているため、手部材が重みによって外れることはないが、手部材を交換する際に、手部材のフックをゴム紐から取り外すと、ゴム紐が収縮して関節部材や前腕部材から抜けてしまうため、手部材のフックをゴム紐から外した後は、別途用意した手部材をゴム紐に掛けるまでの間、常にゴム紐に対して収縮を阻止する外力を加え続ける必要があり、手部材の交換が非常に困難であった。
【００１０】
そこで、本発明は、大型の人形玩具においても各構成部材を確実に連結させることができ、しかも、各構成部材の着脱を容易に行うことができる人形玩具の関節構造を得ることを技術的課題として、その具現化をはかるべく研究・実験を重ねた結果、人体の関節を挟んで一方側に位置する部位の形状を模してなる一方側外装部材と他方側に位置する部位の形状を模してなる中空状の他方側外装部材とからなり、該他方側外装部材の中空部に通された弾性部材によって該一方側外装部材を牽引してなる人形玩具の関節構造において、前記他方側外装部材の中空部に沿って移動できるように形成したストッパーを前記弾性部材に設けて、当該弾性部材を伸長させた状態で当該ストッパーを当該他方側外装部材に係止させれば、当該ストッパーの当該他方側外装部材の中空部内への移動が抑止されて当該弾性部材による前記一方側外装部材の牽引が遮断されるという刮目すべき知見を得、前記技術的課題を達成したものである。
【００１１】
【課題を解決するための手段】
前記技術的課題は、次の通りの本発明によって解決できる。
【００１２】
即ち、本発明に係る人形玩具の関節構造は、人体の関節を挟んで一方側に位置する部位の形状を模してなる一方側外装部材と他方側に位置する部位の形状を模してなる中空状の他方側外装部材とからなり、該他方側外装部材の中空部に通された弾性部材によって該一方側外装部材を牽引してなる人形玩具の関節構造において、前記他方側外装部材の中空部に沿って移動できるように形成されたストッパーが前記弾性部材に設けられており、当該弾性部材を伸長させた状態で当該ストッパーを当該他方側外装部材に係止させることにより、当該ストッパーの当該他方側外装部材の中空部内への移動が抑止されて当該弾性部材による前記一方側外装部材の牽引が遮断されるものである。
【００１３】
また、本発明に係る人形玩具の関節構造は、他方側外装部材の中空部に沿った軸を回転軸としてストッパーを該他方側外装部材に対して回転させて該ストッパーを該他方側外装部材に係止させるものである。
【００１４】
また、本発明に係る人形玩具の関節構造は、人体の関節を挟んで一方側に位置する部位の形状を模してなる一方側外装部材と他方側に位置する部位の形状を模してなる中空状の他方側外装部材と該一方側外装部材と該他方側外装部材との間に介在させる中空状の関節部材とからなり、該他方側外装部材及び該関節部材の中空部に通された弾性部材によって該一方側外装部材を牽引してなる人形玩具の関節構造において、前記関節部材の中空部に沿って移動できるように形成されたストッパーが前記弾性部材に設けられており、当該弾性部材を伸長させた状態で当該ストッパーを当該関節部材に係止させることにより、当該ストッパーの当該関節部材の中空部内への移動が抑止されて当該弾性部材による前記一方側外装部材の牽引が遮断されるものである。
【００１５】
また、本発明に係る人形玩具の関節構造は、関節部材の中空部に沿った軸を回転軸としてストッパーを該関節部材に対して回転させて該ストッパーを該関節部材に係止させるものである。
【００１６】
また、本発明は、前記いずれかの人形玩具の関節構造において、一方側外装部材が人体の手を模してなるものであり、他方側外装部材が人体の前腕を模してなるものである。
【００１７】
また、本発明は、前記いずれかの人形玩具の関節構造において、一方側外装部材が人体の足を模してなるものであり、他方側外装部材が人体の下腿を模してなるものである。
【００１８】
また、本発明は、前記いずれかの人形玩具の関節構造において、一方側外装部材が人体の頭を模してなるものであり、他方側外装部材が人体の首を模してなるものである。
【００１９】
また、本発明に係る人形玩具は、前記いずれかの関節構造を有するものである。
【００２０】
【発明の実施の形態】
以下、本発明の実施の形態を図面に基づき説明する。
【００２１】
実施の形態１．
【００２２】
図１は本実施の形態に係る人形玩具における手関節の内部構造を示した部分断面図であり、図２は図１に示す人形玩具における前腕部材の中空部とストッパーとの関係を示した説明図であり、図３は図１に示す人形玩具における手部材の交換手順を示した斜視図であり、これらの図において、１は人体の手関節を挟んで一方側に位置する手を模してなる手部材（一方側外装部材）であり、２は人体の手関節を挟んで他方側に位置する前腕を模してなる前腕部材（他方側外装部材）である。
【００２３】
手部材１の手関節側にはすり鉢状の凹部３が形成されており、凹部３の中央からフック４が突出している。
【００２４】
前腕部材２は中空状に形成されており、中空部５の断面は楕円状になっている（図２参照）。中空部５には折り返された状態のゴム紐６（弾性部材）が折り返し部７を手関節側に向けて通されており、ゴム紐６には折り返し部７を残して楕円柱状のストッパー８が固定されている。
【００２５】
ストッパー８は、図２に示すように、前腕部材２の中空部５に納まる形状に形成されており、ストッパー８における長径方向の長さ（図２中、矢印Ｘ１）が中空部５における短径方向の長さ（図２中、矢印Ｙ１）よりも長くなっている。
【００２６】
そして、手部材１と前腕部材２とは、図１に示すように、前腕部材２の中空部５に通された伸張状態にあるゴム紐６の折り返し部７を手部材１のフック４に掛けて、ゴム紐６の収縮力によって手部材１を前腕部材２へ牽引することにより連結されている。
【００２７】
次に、手部材１の交換手順を説明する。
【００２８】
先ず、図３の（ａ）に示すように、手部材１と前腕部材２とを引き離す方向に外力を加えてゴム紐６を伸張させることにより、前腕部材２の中空部５に納まっているストッパー８を中空部５の外方へ引き出す。
【００２９】
次に、図３の（ｂ）に示すように、前腕部材２の中空部５に沿った軸を回転軸（図３の（ｂ）中、一点鎖線にて示す。）としてストッパー８を前腕部材２に対して回転させて、ストッパー８の長径方向と中空部５の短径方向とを一致させる。そして、外力を取り除き、ゴム紐６の収縮力によってストッパー８を前腕部材２へ牽引して該前腕部材２先端に係止させる。この時、ストッパー８の中空部５に対する移動が抑止され、ゴム紐６の収縮力による手部材１の牽引が遮断される。
【００３０】
続いて、図３の（ｃ）に示すように、手部材１のフック４をゴム紐６の折り返し部７から取り外した後、別途用意した手部材９（握り拳状）のフック４をゴム紐６の折り返し部７に掛ける。そして、図３の（ｄ）に示すように、再びストッパー８を前腕部材２に対して回転させて、ストッパー８の長径方向と中空部５の長径方向とを一致させる。これにより、ストッパー８がゴム紐６の収縮力によって前腕部材２の中空部５に引き込まれ、これに伴って手部材９が前腕部材２へ牽引される。
【００３１】
本実施の形態においては、手部材を牽引する弾性部材としてゴム紐を用いたが、弾性部材は前腕部材の中空部に通すことができ、かつ、伸縮性を有するものであればよく、例えば、バネを用いてもよい。
【００３２】
実施の形態２．
【００３３】
図４は本実施の形態に係る人形玩具における手関節の内部構造を示した部分断面図であり、図５は図４に示す人形玩具における関節部材の中空部と連結ストッパーとの関係を示した説明図であり、図６は図４に示す人形玩具における前腕部材の中空部と連結ストッパーとの関係を示した説明図であり、図７は図４に示す人形玩具における手部材の交換手順を示した斜視図である。これらの図において、図１〜図３と同一符号は同一又は相当部分を示しており、１は人体の手関節を挟んで一方側に位置する手を模してなる手部材であり、２は人体の手関節を挟んで他方側に位置する前腕を模してなる前腕部材であり、１０は手部材１と前腕部材２との間に介在させる球状関節部材である。
【００３４】
関節部材１０は中空状に形成されており、中空部１１の断面は長方形状になっている（図５参照）。また、関節部材１０の手部材１側には中空部１１開口と直交するように溝部１２が形成されている（図７の（ａ）参照）。
【００３５】
前腕部材２は段付き中空状に形成されており、中空部５の断面は円形状になっている（図６参照）。そして、中空部５は段差部１３を境として手関節側が幅広に形成されており、肘関節側が幅狭に形成されている。中空部５には折り返された状態のゴム紐６が折り返し部７を手関節側に向けて通されており、ゴム紐６の折り返し部７にはＳ字状連結ストッパー１４における一方側のフック１５が掛けられている。また、前腕部材２の手関節側には中空部５を含むすり鉢状の凹部１６が形成されている。
【００３６】
連結ストッパー１４は、前腕部材２の中空部５における幅広部分及び関節部材１０の中空部１１を移動できるように形成されている。そして、図５に示すように、連結ストッパー１４における幅方向の長さ（図５中、矢印Ｘ２）は関節部材１０の中空部１１における短辺方向の長さ（図５中、矢印Ｙ２）よりも長くなっている。また、図６に示すように、連結ストッパー１４における幅方向の長さ（図６中、矢印Ｘ２）は前腕部材２の中空部５における幅狭部分の直径（図６中、矢印Ｚ２）より長くなっている。
【００３７】
そして、手部材１、関節部材１０及び前腕部材２は、前腕部材２の凹部１６に関節部材１０を嵌め込むと共に、前腕部材２の中空部５と関節部材１０の中空部１１とを連通させた状態で、前腕部材２の中空部５に通された伸張状態にあるゴム紐６に掛けられた連結ストッパー１４を関節部材１０に通し、連結ストッパー１４における他方側のフック１７を手部材１のフック４に掛けて、ゴム紐６の収縮力によって手部材１を関節部材１０へ牽引することにより連結されている。
【００３８】
本実施の形態において手部材１を交換する際には、先ず、図７の（ａ）に示すように、手部材１と関節部材１０とを引き離す方向に外力を加えてゴム紐６を伸張させることにより、連結ストッパー１４を関節部材１０の中空部１１から引き出す。そして、関節部材１０の中空部１１に沿った軸を回転軸（図７の（ａ）中、一点鎖線にて示す。）として連結ストッパー１４を該関節部材１０に対して回転させて、連結ストッパー１４の幅方向と関節部材１０の中空部１１における短辺方向とを一致させる。次に、図７の（ｂ）に示すように、外力を取り除き、ゴム紐６の収縮力によって連結ストッパー１４を関節部材１０へ牽引して該関節部材１０の溝部１２に係止させる。この時、ゴム紐６の収縮力による連結ストッパー１４の牽引が遮断される。続いて、図７の（ｃ）に示すように、手部材１を別途用意した手部材９に交換した後、再び連結ストッパー１４を関節部材１０に対して回転させて連結ストッパー１４と関節部材１０との係止を解除することにより、連結ストッパー１４がゴム紐６の収縮力によって関節部材１０の中空部１１に引き込まれ、手部材９が関節部材１０へ牽引される。
【００３９】
本実施の形態においては、手部材と前腕部材との間に関節部材を介在させたので、前腕部材に対する手部材の可動範囲が広くなり、より人体に近いポーズを表現することができる。
【００４０】
また、前腕部材を段付き中空状に形成すると共に、連結ストッパーにおける幅方向の長さを前腕部材の中空部における幅狭部分の直径より長くしたので、手部材を交換する際に、連結ストッパーが関節部材の中空部から抜けてしまったとしても、連結ストッパーは前腕部材の幅狭部分を通過することができずに段差部で引っ掛かるため、連結ストッパーが前腕部材から抜けることを防止できる。
【００４１】
本発明に係る人形玩具の関節構造は、人形玩具における人体の首関節部、肩関節部、肘関節部、腰関節部、股関節部、膝関節部及び足関節部に当たる部分の関節構造としても適用することができる。例えば、人体の首関節部に当たる部分に適用する場合には、一方側外装部材が人体の頭を模してなるものとなり、他方側外装部材が人体の首を模してなるものとなる。また、人体の足関節部に当たる部分に適用する場合には、一方側外装部材が人体の足を模してなるものとなり、他方側外装部材が人体の下腿を模してなるものとなる。
【００４２】
また、本発明におけるストッパーは他方側外装部材又は関節部材の中空部に沿った軸を中心軸とする円柱状や球状でなければよく、他方側外装部材又は関節部材の中空部における断面は真円状でなければよい。これらの場合には、ストッパーを他方側外装部材又は関節部材に対して回転させたとしてもストッパーが他方側外装部材又は関節部材に係止されず、ストッパーの中空部内への移動を抑止できないため、弾性部材による一方側外装部材の牽引を遮断できないからである。
【００４３】
なお、本発明における一方側外装部材、他方側外装部材及び関節部材は、ウレタン樹脂、アクリル樹脂、ナイロン樹脂、ポリカーボネート、ジュラコン、ＡＢＳ樹脂又はスチロール樹脂などの樹脂材料を成形することにより作成すればよい。
【００４４】
【発明の効果】
本発明によれば、人形玩具を改造する際に交換の対象となる一方側外装部材を弾性部材の収縮力によって他方側外装部材へ牽引しているため、人形玩具が大型化して一方側外装部材の重量が増加しても、一方側外装部材を他方側外装部材に対して確実に連結することができる。また、弾性部材に設けられたストッパーと他方側外装部材又は関節部材とを係止させることにより、弾性部材による一方側外装部材の牽引を遮断することができるため、一方側外装部材を容易に交換することができる。
【００４５】
従って、本発明の産業上利用性は非常に高いといえる。
【図面の簡単な説明】
【図１】実施の形態１に係る人形玩具における手関節の内部構造を示した部分断面図である。
【図２】図１に示す人形玩具における前腕部材の中空部とストッパーとの関係を示した説明図である。
【図３】図１に示す人形玩具における手部材の交換手順を示した斜視図である。
【図４】実施の形態２に係る人形玩具における手関節の内部構造を示した部分断面図である。
【図５】図４に示す人形玩具における関節部材の中空部と連結ストッパーとの関係を示した説明図である。
【図６】図４に示す人形玩具における前腕部材と連結ストッパーとの関係を示した説明図である。
【図７】図４に示す人形玩具における手部材の交換手順を示した斜視図である。
【図８】従来の人形玩具における手関節の内部構造を示した部分断面図である。
【符号の説明】
１，９  手部材
２  前腕部材
３  凹部
４  フック
５  中空部
６  ゴム紐
７  折り返し部
８  ストッパー
１０  関節部材
１１  中空部
１２  溝部
１３  段差部
１４  連結ストッパー
１５，１７  フック
１６  凹部
１００  手部材
１０１  前腕部材
１０２  関節部材
１０３，１０４  中空部
１０５  ゴム紐
１０６  折り返し部
１０７  ブック
【図１】
2004321638.tif 000003
【図２】
2004321638.tif 000004
【図３】
2004321638.tif 000005
【図４】
2004321638.tif 000006
【図５】
2004321638.tif 000007
【図６】
2004321638.tif 000008
【図７】
2004321638.tif 000009
【図８】
2004321638.tif 000010